【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
遊技者にとっての有利度が異なる複数の設定値のうちいずれかの設定値に設定可能な設定手段と、
設定された設定値に応じて異なる割合により前記有利状態に制御するか否かを決定する決定手段と、
前記設定手段による設定値の変更が可能な変更可能状態に制御可能な設定状態制御手段と、
複数種類の異常を検知可能な異常検知手段と、
前記変更可能状態に制御されていることを特定可能な設定関連コマンドと、前記異常検知手段によって検知された異常の種類を特定可能な異常関連コマンドと、を含む複数種類のコマンドを出力可能な情報出力手段と、
前記情報出力手段から送信されるコマンドにもとづいて演出の実行を制御する演出制御手段と、
遊技媒体が所定領域に進入したことにもとづいて遊技価値を付与する遊技価値付与手段と、
前記遊技価値付与手段によって付与される遊技価値に関する情報を表示可能な情報表示手段と、を備え、
前記演出制御手段は、前記情報出力手段から送信された前記異常関連コマンドにもとづいて異常報知を行う第１報知手段と、前記異常関連コマンドによらず前記演出制御手段側にて異常状態の有無を判定して異常報知を行う第２報知手段と、を含み、
前記情報表示手段は、前記設定手段にて設定されている設定値を表示可能である、
ことを特徴とする遊技機。
【手続補正２】
【補正対象書類名】明細書
【補正対象項目名】０００２
【補正方法】変更
【補正の内容】
【０００２】
遊技者にとっての有利度が異なる複数の設定値のいずれかに変更可能な遊技機がある（例えば特許文献１参照）。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
特許文献１に記載の技術では、設定されている設定値を表示するための専用の設定値表示手段が設けられており、遊技機のコスト増が生じるという問題があった。
【手続補正５】
【補正対象書類名】明細書
【補正対象項目名】０００５
【補正方法】変更
【補正の内容】
【０００５】
この発明は、上記の実状に鑑みてなされたものであり、遊技機の製造コストの増加を抑えることができる遊技機を提供することを目的とする。
【手続補正６】
【補正対象書類名】明細書
【補正対象項目名】０００６
【補正方法】変更
【補正の内容】
【０００６】
（１）上記目的を達成するため、本願発明に係る遊技機は、
可変表示を行い、遊技者にとって有利な有利状態（例えば大当り遊技状態など）に制御可能な遊技機（例えばパチンコ遊技機１など）であって、
遊技者にとっての有利度が異なる複数の設定値のうちいずれかの設定値（例えば設定値１〜３のいずれかなど）に設定可能な設定手段（例えばステップＳａ１３の設定変更処理を実行するＣＰＵ１０３など）と、
設定された設定値に応じて異なる割合により前記有利状態に制御するか否かを決定する決定手段（例えばステップＳ２５の特別図柄プロセス処理を実行するＣＰＵ１０３など）と、
前記設定手段による設定値の変更が可能な変更可能状態に制御可能な設定状態制御手段（例えばステップＳａ１３の設定変更処理を実行するＣＰＵ１０３など）と、
複数種類の異常を検知可能な異常検知手段と、
前記変更可能状態に制御されていることを特定可能な設定関連コマンドと、前記異常検知手段によって検知された異常の種類を特定可能な異常関連コマンドと、を含む複数種類のコマンドを出力可能な情報出力手段と、
前記情報出力手段から送信されるコマンドにもとづいて演出の実行を制御する演出制御手段（例えば演出制御用ＣＰＵ１２０など）と、
遊技媒体が所定領域（例えば、一般入賞口、第１始動入賞口、第２始動入賞口、第１大入賞口、第２大入賞口など）に進入したことにもとづいて遊技価値を付与する遊技価値付与手段（例えば、ＣＰＵ１０３が大当り開放中処理を実行する部分など）と、
前記遊技価値付与手段によって付与される遊技価値に関する情報を表示可能な情報表示手段（例えば、表示モニタ２９など）と、を備え、
前記演出制御手段は、前記情報出力手段から送信された前記異常関連コマンドにもとづいて異常報知を行う第１報知手段（例えばコマンド９６ＸＸＨに基づいてエラー報知処理を実行する演出制御用ＣＰＵ１２０など）と、前記異常関連コマンドによらず前記演出制御手段側にて異常状態の有無を判定して異常報知を行う第２報知手段（例えばステップ８３ＡＫＳ００１〜８３ＡＫＳ００４の処理を実行する演出制御用ＣＰＵ１２０など）と、を含み、
前記情報表示手段は、前記設定手段にて設定されている設定値を表示可能である（例えば、表示モニタ２９の第１表示部２９Ａによる表示など）。
このような構成によれば、遊技機の製造コストの増加を抑えることができる。
【手続補正７】
【補正対象書類名】明細書
【補正対象項目名】０００７
【補正方法】変更
【補正の内容】
【０００７】
（２）上記（１）の遊技機において、
前記第２報知手段は、前記変更許可状態に制御中であるか否かに関わらず、電力供給開始時から前記異常報知を実行可能である（例えばステップＡＫＳ０１２にてエラー判定処理を実行するなど）、
ようにしてもよい。
このような構成においては、監視期間を長期として遊技機の安全性を向上させることができる。
【手続補正８】
【補正対象書類名】明細書
【補正対象項目名】０００８
【補正方法】変更
【補正の内容】
【０００８】
（３）上記（１）または（２）の遊技機において、
前記第２報知手段は、前記変更許可状態に制御中における異常報知を、通常態様とはことなる特殊態様により実行可能である（例えばステップ８３ＡＫＳ００９の処理を実行するなど）、
ようにしてもよい。
このような構成においては、好適に異常報知を行うことができる。
【手続補正９】
【補正対象書類名】明細書
【補正対象項目名】０００９
【補正方法】変更
【補正の内容】
【０００９】
（４）上記（３）の遊技機において、
前記第２報知手段は、前記変更許可状態への制御が終了した際に継続して前記異常状態である場合、前記特殊態様の異常報知を前記通常態様へ変更する（例えばステップ８３ＡＫＳ０１２の処理を実行するなど）、
ようにしてもよい。
このような構成においては、設定変更終了後の通常態様への切り替えをスムーズに行うことができる。
【手続補正１０】
【補正対象書類名】明細書
【補正対象項目名】００１０
【補正方法】変更
【補正の内容】
【００１０】
（５）上記（１）から（４）のいずれかの遊技機において、
前記第２報知手段は、前記変更許可状態に制御中、特定種類の異常状態の発生を判定した場合、該特定種類の異常状態に対応する異常報知を前記変更許可状態に制御中であることの報知よりも優先して行う（例えば各種モータに関する異常については、設定変更画面よりも優先的に表示するなど）、
ようにしてもよい。
このような構成においては、遊技機の安全性をより向上させることができる。
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】